(57)【要約】【課題】１つのタスクに対して様々な観点に合わせて表示できるようにする。【解決手段】タスク情報取得部１０３は、第１表示領域１２１に表示された複数のタスク名の中から選択指示されたタスク名のタスクの情報を、記憶部１０１より取得する。第２表示制御部１０８は、タスク情報取得部１０３が取得した情報を、第１設定部１０４、第２設定部１０５、第３設定部１０６、第４設定部１０７で設定された表示形態で、第２表示領域１２２に表示させる。【選択図】  図１
2019008581.tif 000002
【特許請求の範囲】
【請求項１】
階層構造とされた複数のタスクからなるプロジェクト情報を記憶する記憶部と、
前記プロジェクト情報のタスクのタスク名を前記階層構造に対応させたツリー構造で表示部の第１表示領域に表示させるように構成された第１表示制御部と、
前記第１表示領域に表示された複数のタスク名の中から選択指示されたタスク名のタスクの情報を取得するように構成されたタスク情報取得部と、
スケジュールに関する第１の観点、コストに関する第２の観点、作成される予定の成果物に関する第３の観点、課題に関する第４の観点、資源に関する第５の観点、および作業に関係する情報に関する第６の観点のいずれかに設定する指示を受け付けて、前記表示部の第２表示領域における表示形態を受け付けた観点の表示形態に設定するように構成された第１設定部と、
表示のための単位を設定する指示を受け付けて、前記第２表示領域における表示のための単位を受け付けた単位に設定するように構成された第２設定部と、
概要表示または詳細表示のいずれかに設定する指示を受け付けて、前記第２表示領域における表示形態を受け付けた表示形態に設定するように構成された第３設定部と、
グラフィック表示または数値表示のいずれかに設定する指示を受け付けて、前記第２表示領域における表示形態を受け付けた表示形態に設定するように構成された第４設定部と、
前記タスク情報取得部が取得した情報を、前記第１設定部、前記第２設定部、前記第３設定部、前記第４設定部で設定された表示形態で、前記第２表示領域に表示させるように構成された第２表示制御部と
を備えることを特徴とする表示装置。
【請求項２】
請求項１記載の表示装置において、
前記第１表示領域および前記第２表示領域は、前記表示部の水平方向に互いに隣接して表示され、前記第１表示領域は、前記第２表示領域の左側に配列されていることを特徴とする表示装置。
【請求項３】
請求項１または２記載の表示装置において、
機能、作業分担、コストをふくむツリー表示形態を設定する指示を受け付けて、前記第１表示領域におけるツリー表示形態を受け付けたツリー表示形態に設定するように構成された第５設定部を更に備え、
前記第１表示制御部は、前記第５設定部で設定されたツリー表示形態に対応させたツリー構造で、前記プロジェクト情報のタスクのタスク名を、前記第１表示領域に表示する
ことを特徴とする表示装置。
【請求項４】
請求項１〜３のいずれか１項に記載の表示装置において、
前記タスク情報取得部により取得された情報で識別されるタスクの内容を前記表示部の第３表示領域に表示するように構成された第３表示制御部を更に備えることを特徴とする表示装置。
【請求項５】
請求項４記載の表示装置において、
前記第２表示領域および前記第３表示領域は、前記表示部に水平方向に互いに隣接して表示され、前記第２表示領域は前記第３表示領域の左側に配列されていることを特徴とする表示装置。
【発明の詳細な説明】
【技術分野】
【０００１】
本発明は、表示装置に関し、特に、プロジェクト管理システムのタスクを表示する表示装置に関する。
【背景技術】
【０００２】
多数の要員や多数のタスクからなるプロジェクトを管理するプロジェクト管理システムがある（特許文献１参照）。このシステムにおいては、階層構造を有する複数のタスクのそれぞれについてのタスク詳細情報を表示部に表示する。このようなシステムにおいては、プロジェクトの全体を、各々のタスクに細分化して階層化している。このシステムによれば、タスクの漏れや重複が確認可能となり、プロジェクトの管理が容易になる。
【先行技術文献】
【特許文献】
【０００３】
【特許文献１】特開２０１０−０３３４２４号公報
【発明の概要】
【発明が解決しようとする課題】
【０００４】
しかしながら、上述した従来のシステムでは、スケジュールや進捗を表現しているものは多いが、１つのタスクに対し、コスト、成果物、課題などの観点に合わせて表示するものはなかった。
【０００５】
本発明は、以上のような問題点を解消するためになされたものであり、１つのタスクに対して様々な観点に合わせて表示できるようにすることを目的とする。
【課題を解決するための手段】
【０００６】
本発明に係る表示装置は、階層構造とされた複数のタスクからなるプロジェクト情報を記憶する記憶部と、プロジェクト情報のタスクのタスク名を階層構造に対応させたツリー構造で表示部の第１表示領域に表示させるように構成された第１表示制御部と、第１表示領域に表示された複数のタスク名の中から選択指示されたタスク名のタスクの情報を取得するように構成されたタスク情報取得部と、スケジュールに関する第１の観点、コストに関する第２の観点、作成される予定の成果物に関する第３の観点、課題に関する第４の観点、資源に関する第５の観点、および作業に関係する情報に関する第６の観点のいずれかに設定する指示を受け付けて、表示部の第２表示領域における表示形態を受け付けた観点の表示形態に設定するように構成された第１設定部と、表示のための単位を設定する指示を受け付けて、第２表示領域における表示のための単位を受け付けた単位に設定するように構成された第２設定部と、概要表示または詳細表示のいずれかに設定する指示を受け付けて、第２表示領域における表示形態を受け付けた表示形態に設定するように構成された第３設定部と、グラフィック表示または数値表示のいずれかに設定する指示を受け付けて、第２表示領域における表示形態を受け付けた表示形態に設定するように構成された第４設定部と、タスク情報取得部が取得した情報を、第１設定部、第２設定部、第３設定部、第４設定部で設定された表示形態で、第２表示領域に表示させるように構成された第２表示制御部とを備える。
【０００７】
上記表示装置において、第１表示領域および第２表示領域は、表示部の水平方向に互いに隣接して表示され、第１表示領域は、第２表示領域の左側に配列されている。
【０００８】
上記表示装置において、機能、作業分担、コストをふくむツリー表示形態を設定する指示を受け付けて、第１表示領域におけるツリー表示形態を受け付けたツリー表示形態に設定するように構成された第５設定部を更に備え、第１表示制御部は、第５設定部で設定されたツリー表示形態に対応させたツリー構造で、プロジェクト情報のタスクのタスク名を、第１表示領域に表示するようにしてもよい。
【０００９】
上記表示装置において、タスク情報取得部により取得された情報で識別されるタスクの内容を表示部の第３表示領域に表示するように構成された第３表示制御部を更に備えるようにしてもよい。
【００１０】
上記表示装置において、第２表示領域および第３表示領域は、表示部に水平方向に互いに隣接して表示され、第２表示領域は第３表示領域の左側に配列されている。
【発明の効果】
【００１１】
以上説明したように、本発明によれば、第２表示制御部が、タスク情報取得部で取得された情報を、第１設定部、第２設定部、第３設定部、第４設定部で設定された表示形態で表示させるようにしたので、１つのタスクに対して様々な観点に合わせて表示できるという優れた効果が得られる。
【図面の簡単な説明】
【００１２】
【図１】図１は、本発明の実施の形態における表示装置の構成を示す構成図である。
【図２】図２は、実施の形態における表示装置の表示部１１１に表示される状態を説明するための構成図である。
【図３】図３は、実施の形態における表示装置の表示部１１１に表示される状態を説明するための構成図である。
【図４】図４は、実施の形態における表示装置の表示部１１１に表示される状態を説明するための構成図である。
【図５】図５は、実施の形態における表示装置の表示部１１１に表示される状態を説明するための構成図である。
【図６】図６は、実施の形態における表示装置の表示部１１１に表示される状態を説明するための構成図である。
【図７】図７は、実施の形態における表示装置の表示部１１１に表示される状態を説明するための構成図である。
【図８】図８は、実施の形態における表示装置の表示部１１１に表示される状態を説明するための構成図である。
【図９】図９は、実施の形態における表示装置の表示部１１１に表示される状態を説明するための構成図である。
【図１０】図１０は、実施の形態における表示装置の表示部１１１に表示される状態を説明するための構成図である。
【図１１】図１１は、実施の形態における表示装置の表示部１１１に表示される状態を説明するための構成図である。
【図１２】図１２は、実施の形態における表示装置の表示部１１１に表示される状態を説明するための構成図である。
【図１３】図１３は、実施の形態における表示装置の表示部１１１に表示される状態を説明するための構成図である。
【図１４】図１４は、実施の形態における表示装置の表示部１１１に表示される状態を説明するための構成図である。
【図１５】図１５は、実施の形態における表示装置の表示部１１１に表示される状態を説明するための構成図である。
【図１６】図１６は、実施の形態における表示装置の表示部１１１に表示される状態を説明するための構成図である。
【図１７】図１７は、実施の形態における表示装置の表示部１１１に表示される状態を説明するための構成図である。
【図１８】図１８は、本発明における表示装置のハードウエア構成を示す構成図である。
【発明を実施するための形態】
【００１３】
以下、本発明の実施の形態における表示装置ついて図１，図２を参照して説明する。この表示装置は、記憶部１０１、第１表示制御部１０２、タスク情報取得部１０３、第１設定部１０４、第２設定部１０５、第３設定部１０６、第４設定部１０７、第２表示制御部１０８を備える。
【００１４】
記憶部１０１は、階層構造とされた複数のタスクからなるプロジェクト情報を記憶する。記憶部１０１には、プロジェクトで発生するタスクを階層化した構造図によるプロジェクト情報が記憶されている。記憶部１０１に記憶しているプロジェクト情報は、各タスクの階層構造に加え、タスク毎に、スケジュール、必要人員、コストなどの付帯情報、および担当者、プロセス名、作業内などのより詳細な情報を備えている。
【００１５】
第１表示制御部１０２は、プロジェクト情報のタスクのタスク名を階層構造に対応させたツリー構造で表示部１１１の第１表示領域１２１に表示させる。タスク情報取得部１０３は、第１表示領域１２１に表示された複数のタスク名の中から選択指示されたタスク名のタスクの情報を、例えば記憶部１０１より取得する。第２表示制御部１０８は、タスク情報取得部１０３が取得した情報を、第１設定部１０４、第２設定部１０５、第３設定部１０６、第４設定部１０７で設定された表示形態で、第２表示領域１２２に表示させる。
【００１６】
第１設定部１０４は、スケジュールに関する第１の観点、コストに関する第２の観点、作成される予定の成果物に関する第３の観点、課題に関する第４の観点、資源に関する第５の観点、および作業に関係する情報に関する第６の観点のいずれかに設定する指示を受け付けて、表示部１１１の第２表示領域１２２における表示形態を受け付けた観点の表示形態に設定する。
【００１７】
例えば、マウスなどのポインティングデバイス（不図示）などによる入力部１１２の操作により、表示部１１１に表示されるボタン１３１をクリックすることで、上述した各観点の設定指示が受け付けられる。
【００１８】
例えば、初期には、第１の観点が設定され、ボタン１３１を１回クリックすると、第２の観点に切り替えられる。また、第２の観点が設定されている状態で、ボタン１３１を１回クリックすると、第３の観点に切り替えられる。また、第３の観点が設定されている状態で、ボタン１３１を１回クリックすると、第４の観点に切り替えられる。また、第４の観点が設定されている状態で、ボタン１３１を１回クリックすると、第５の観点に切り替えられる。また、第５の観点が設定されている状態で、ボタン１３１を１回クリックすると、第６の観点に切り替えられる。また、第６の観点が設定されている状態で、ボタン１３１を１回クリックすると、第１の観点に切り替えられる。
【００１９】
第２設定部１０５は、表示のための単位を設定する指示を受け付けて、第２表示領域における表示のための単位を受け付けた単位に設定する。例えば、入力部１１２の操作により、表示部１１１に表示されるボタン１３２をクリックすることで、上述した単位の設定指示が受け付けられる。例えば、図３に示すように、第１の観点に設定されて横棒のグラフでスケジュールが表示されている第２表示領域１２２に、初期には、月単位のカレンダー表示部１３６が表示される。この状態で、ボタン１３２を１回クリックすると、第２表示制御部１０８が、カレンダー表示部１３６をより詳細な日単位の表示に切り替える。
【００２０】
第３設定部１０６は、概要表示または詳細表示のいずれかに設定する指示を受け付けて、第２表示領域における表示形態を受け付けた表示形態に設定する。例えば、入力部１１２の操作により、表示部１１１に表示されるボタン１３３をクリックすることで、上述した表示形態の設定指示が受け付けられる。
【００２１】
例えば、入力部１１２の操作により、第１表示領域１２１に表示されているツリー構造の中のいずれかのタスクが選択されると、選択されたタスクの情報が、第２表示領域１２２に表示される。
【００２２】
図２の例では、グレーで示す選択表示で、「案件Ａ」のタスク名「中央監視」が選択され、第２表示領域１２２には、選択表示の部分に、タスク名「中央監視」に関する概要の情報が表示（概要表示）されている。この状態で、入力部１１２の操作により、表示部１１１に表示されるボタン１３３をクリックすることで、詳細表示の設定とされ、第２表示制御部１０８が、図４に示すように、第２表示領域１２２にタスク名「中央監視」に関する詳細な情報を表示（詳細表示）する。図４では、第２表示領域１２２に、詳細な情報がグラフィック表示されている状態を示している。
【００２３】
第４設定部１０７は、グラフィック表示または数値表示のいずれかに設定する指示を受け付けて、第２表示領域における表示形態を受け付けた表示形態に設定する。例えば、入力部１１２の操作により、表示部１１１に表示されるボタン１３４をクリックすることで、上述した表示形態の設定指示が受け付けられる。
【００２４】
例えば、図４に示すように、第２表示領域１２２にタスク名「中央監視」に関する詳細な情報が、グラフィック表示で表示されている場合を考える。この表示状態で、入力部１１２の操作により、表示部１１１に表示されるボタン１３４をクリックし、数値表示に設定すると、第２表示制御部１０８が、図５に示すように、第２表示領域１２２にタスク名「中央監視」に関する詳細な情報を数値で表示する。
【００２５】
なお、図２に示すように、表示部１１１において、第１表示領域１２１および第２表示領域１２２は、表示部１１１の水平方向に互いに隣接して表示され、第１表示領域１２１は、第２表示領域１２２の左側に配置されている。また、表示部１１１には、第３表示領域１２３が表示される。第２表示領域１２２および第３表示領域１２３は、表示部１１１に水平方向に互いに隣接して表示され、第２表示領域１２２は、第３表示領域１２３の左側に配置されている。
【００２６】
また、この表示装置は、第５設定部１０９および第３表示制御部１１０を備える。第５設定部１０９は、機能、作業分担、コストをふくむツリー表示形態を設定する指示を受け付けて、第１表示領域１２１におけるツリー表示形態を受け付けたツリー表示形態に設定する。第１表示制御部１０２は、第５設定部１０９で設定されたツリー表示形態に対応させたツリー構造で、プロジェクト情報のタスクのタスク名を、第１表示領域１２１に表示する。
【００２７】
例えば、入力部１１２の操作により、表示部１１１に表示されるボタン１３５をクリックすることで、上述したツリー表示形態の設定指示が受け付けられる。例えば、初期には、図６の（ａ）に示すように、機能によるツリー表示形態で、ボタン１３５を１回クリックすると、図６の（ｂ）に示すように、作業分担によるツリー表示形態に切り替えられる。また、図６の（ｂ）に示すように、作業分担によるツリー表示形態で、ボタン１３５を１回クリックすると、図６の（ｃ）に示すように、コストによるツリー表示形態に切り替えられる。
【００２８】
また、この表示装置は、タスク情報取得部１０３により取得された情報で識別されるタスクの内容を表示部１１１の第３表示領域１２３に表示する第３表示制御部１１０を備える。例えば、第３表示領域１２３には、選択表示で選択されたタスクについて、担当者、プロセス名、作業内容などの、記憶部１０１から取得されたタスクの詳細な内容が表示されている。
【００２９】
次に、第１設定部１０４により設定される各観点について、より詳細に説明する。以下では、第２の観点、第３の観点、第４の観点、第５の観点、第６の観点について説明する。
【００３０】
例えば、入力部１１２の操作によるボタン１３１のクリックで、第２の観点に切り替えられると、第２表示制御部１０８は、図７に示すように、第２表示領域１２２に、各タスクにおけるコストに関する表示をする。図７では、２重の棒グラフ表示において、まず、外側の棒グラフはスケジュールを表している。また、内側の棒グラフは、外側を予定コストとし、これに対する実績を示している。外側の棒グラフに対する内側の棒グラフの割合により、予定コストに対する実績コストの割合が示されている。スケジュールの表示に予定コストに対する実績コストの割合を組み合わせて表示することで、実績が予定を超過しているか否かの確認が可能となる。なお、図７では、グラフィック表示の設定とされている場合を示している。
【００３１】
また、上記の第２の観点の表示設定において、入力部１１２の操作によるボタン１３３のクリックで、詳細表示の設定とされると、第２表示制御部１０８は、図８に示すように、第２表示領域１２２に、各タスクにおけるコストの観点による詳細な表示をする。なお、図８では、グラフィック表示の設定とされている場合を示している。
【００３２】
また例えば、上記の第２の観点の表示設定において、入力部１１２の操作によるボタン１３４のクリックで、数値表示の設定とされると、第２表示制御部１０８は、図９に示すように、第２表示領域１２２に、各タスクにおけるコストの観点による数値の詳細な表示をする。
【００３３】
また、例えば、入力部１１２の操作によるボタン１３１のクリックで、第５の観点に切り替えられると、第２表示制御部１０８は、図１０に示すように、第２表示領域１２２に、各タスクにおける資源に関する表示をする。図１０では、概要表示およびグラフィック表示の設定とされている場合を示している。
【００３４】
図１０では、２重の棒グラフ表示において、内側の棒グラフで完了した発注済みの資材（資源）の数を表している。外側の棒グラフは、スケジュールを表している。内側の棒グラフは、外側を必要な全ての資材の数としてこれに対する発注済みの資材の数を示している。外側の棒グラフに対する内側の棒グラフの割合により、発注済みの資材の割合が示されている。スケジュールの表示に発注済みの資材の割合を組み合わせて表示することで、資材の発注状況の確認が可能となる。
【００３５】
また、上記の第５の観点の表示設定において、入力部１１２の操作によるボタン１３３のクリックで、概要表示の設定とされ、入力部１１２の操作によるボタン１３４のクリックで、数値表示の設定とされると、図１１に示すように、第２表示領域１２２に、各タスクにおける資源の観点による表示を、詳細表示および数値表示の形態で行う。
【００３６】
また、上記の第５の観点の表示設定において、入力部１１２の操作によるボタン１３３のクリックで、概要表示の設定とされ、入力部１１２の操作によるボタン１３４のクリックで、グラフィック表示の設定とされると、図１２に示すように、第２表示領域１２２に、各タスクにおける資源の観点による表示を、詳細表示およびグラフィック表示の形態で行う。
【００３７】
また、例えば、入力部１１２の操作によるボタン１３１のクリックで、第６の観点に切り替えられると、第２表示制御部１０８は、図１３に示すように、第２表示領域１２２に、各タスクにおける作業に関係する情報に関する表示をする。図１３では、詳細表示およびグラフィック表示の設定とされている場合を示している。
【００３８】
また、例えば、入力部１１２の操作によるボタン１３１のクリックで、第３の観点に切り替えられると、第２表示制御部１０８は、図１４に示すように、第２表示領域１２２に、各タスクにより作成される予定の成果物に関する表示をする。図１４では、概要表示およびグラフィック表示の設定とされている場合を示している。
【００３９】
図１４では、２重の棒グラフ表示において、内側の棒グラフで成果物の実績を表している。外側の棒グラフは、スケジュールを表している。内側の棒グラフは、外側を成果物の予定とし、これに対する実績を示している。外側の棒グラフに対する内側の棒グラフの割合により、成果物の予に対する成果物の実績の割合が示されている。スケジュールの表示に成果物の予定に対する成果物の実績の割合を組み合わせて表示することで、成果物の達成状況の確認が可能となる。
【００４０】
また、例えば、入力部１１２の操作によるボタン１３１のクリックで、第４の観点に切り替えられると、第２表示制御部１０８は、図１５に示すように、第２表示領域１２２に、各タスクに関する表示をする。図１５では、概要表示およびグラフィック表示の設定とされている場合を示している。
【００４１】
図１５では、２重の棒グラフ表示において、内側の棒グラフで完了したタスクの数を表している。外側の棒グラフは、スケジュールを表している。内側の棒グラフは、外側を全タスク数とし、これに対する実績を示している。外側の棒グラフに対する内側の棒グラフの割合により、完了したタスクの割合が示されている。スケジュールの表示に完了したタスクの割合を組み合わせて表示することで、タスクの完了状況の確認が可能となる。
【００４２】
また、各タスクにおけるコストに関する表示では、図１６に示すように、外側の棒グラフに、２つの内側の棒グラフを組み合わせて３重の棒グラフで表示することも可能である。内側における上側の棒グラフは、出来高を示し、下側の棒グラフは、実コストを示す。
【００４３】
また、図１７に示すように、第３表示領域１２３に、第１設定部１０４により設定される観点を跨いで表示してもよい。図１７に示すように、第３表示領域１２３に、選択表示で選択されたタスクについて、担当者、プロセス名、作業内容などの詳細な内容、コスト（第２の観点）に関する詳細な内容、に加え、成果物（第３の観点）に関する詳細な内容、タスク（第４の観点）に関する詳細な内容、資源（第５の観点）に関する詳細な内容が表示可能としてもよい。
【００４４】
なお、上述した実施の形態における表示装置は、＠図１８に示すように、ＣＰＵ（Central Processing Unit；中央演算処理装置）２０１と主記憶装置２０２と外部記憶装置２０３とネットワーク接続装置２０４となどを備えたコンピュータ機器であり、主記憶装置に展開されたプログラムによりＣＰＵが動作することで、上述した各機能が実現される。ネットワーク接続装置２０４は、ネットワーク２０５に接続する。また、各機能は、複数のコンピュータ機器に分散させるようにしてもよい。また、外部記憶装置２０３に情報（プロジェクト情報）が存在する場合、ネットワーク接続装置２０４やネットワークへの接続が無くてもよい。
【００４５】
以上に説明したように、本発明によれば、第２表示制御部が、タスク情報取得部で取得された情報を、第１設定部、第２設定部、第３設定部、第４設定部で設定された表示形態で表示させるようにしたので、１つのタスクに対して様々な観点に合わせて表示できるようになる。
【００４６】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００４７】
１０１…記憶部、１０２…第１表示制御部、１０３…タスク情報取得部、１０４…第１設定部、１０５…第２設定部、１０６…第３設定部、１０７…第４設定部、１０８…第２表示制御部、１０９…第５設定部、１１０…第３表示制御部、１１１…表示部、１１２…入力部。
【図１】
2019008581.tif 000003
【図２】
2019008581.tif 000004
【図３】
2019008581.tif 000005
【図４】
2019008581.tif 000006
【図５】
2019008581.tif 000007
【図６】
2019008581.tif 000008
【図７】
2019008581.tif 000009
【図８】
2019008581.tif 000010
【図９】
2019008581.tif 000011
【図１０】
2019008581.tif 000012
【図１１】
2019008581.tif 000013
【図１２】
2019008581.tif 000014
【図１３】
2019008581.tif 000015
【図１４】
2019008581.tif 000016
【図１５】
2019008581.tif 000017
【図１６】
2019008581.tif 000018
【図１７】
2019008581.tif 000019
【図１８】
2019008581.tif 000020